(57)【要約】【課題】機器を任意の向きに設置しても、あるいは機器の設置方向を変更しても温度の測定精度を向上させることのできる等価温度測定システムを提供する。【解決手段】温度センサ３は、機器内部の所定位置の温度を測定し、傾斜センサ４は、機器の傾斜を測定する。無線機器は、機器の傾斜毎に、温度センサ３と各部位（被測定ポイント）の温度の関係を実測定して作成したデータテーブルを記憶部に保持しており、傾斜センサ４から機器の設置角度を取得し、記憶部から設置角度に最適なデータテーブルを選択し、選択されたデータテーブルと温度センサ３から取得した温度情報から、各部位（被測定ポイント）の等価温度を測定する。【選択図】図２
2012233835.tif 000002
【特許請求の範囲】
【請求項１】
装置本体の置き位置状態を検知するための置き位置状態検知部と、
前記装置内の温度を測定する温度センサと、
予め前記装置本体の置き位置状態毎に被測定ポイントと前記温度センサとの間の温度差を実測定して作成した補正テーブルを記録する記憶部と、
前記置き位置状態検知部からの情報に基づいて、前記記憶部から前記装置本体の置き位置状態に対応した補正テーブルを取得し、取得した補正テーブルと前記温度センサから取得した温度情報から、前記被測定ポイントの等価温度を測定する制御部と、
を備えることを特徴とする等価温度測定システム。
【請求項２】
前記置き位置状態検知部は、傾斜センサであることを特徴とする請求項１に記載の等価温度測定システム。
【請求項３】
前記置き位置検状態知部は、前記装置内の温度を測定する２個の温度センサであることを特徴とする請求項１に記載の等価温度測定システム。
【発明の詳細な説明】
【技術分野】
【０００１】
本発明は、特定位置の温度を等価的に測定する等価温度測定システムに関する。
【背景技術】
【０００２】
無線機器などのアナログ回路では温度によって特性が変化するので、温度に対する特性の補正を行う必要がある。温度に対する特性の補正を行うには、温度によって特性が変化する回路部分の温度を正確に測定することが必要である。そのために、無線機器内部に温度センサを備えることが考えられる。
【０００３】
特許文献１には、無線機器内部に温度センサを備え、内部ファンを常時動作させて空気を循環させることにより内部の温度偏差を軽減させた状態で、温度センサで内部温度を測定する装置が提案されている。
【先行技術文献】
【特許文献】
【０００４】
【特許文献１】特開２００６−２８４１２９号公報
【発明の概要】
【発明が解決しようとする課題】
【０００５】
しかしながら、機器内部の空気を、ファンなどで強制循環させる機能がない場合は、回路基板（機器）の設置向きによって機器内部の温度対流方向が変わる。これにより、機器内部の上の方となる部分が温まりやすくなったり、発熱部の上部に位置する被測定ポイントの温度が上昇することになり、機器の設置方向で内部の温度環境が変化することとなる。よって、機器内部に温度センサを備えるだけでは、機器の設置角度によっては正確な温度を測定できない問題が発生する。
【０００６】
本発明は、このような問題点に鑑みてなされたものであり、本発明の目的は、機器を任意の向きに設置しても、あるいは機器の設置方向を変更しても温度の測定精度を向上させることのできる等価温度測定システムを提供することにある。
【課題を解決するための手段】
【０００７】
上記目的を達成するため、本発明の等価温度測定システムは、装置本体の置き位置状態を検知するための置き位置状態検知部と、前記装置内の温度を測定する温度センサと、予め前記装置本体の置き位置状態毎に被測定ポイントと前記温度センサとの間の温度差を実測定して作成した補正テーブルを記録する記憶部と、前記置き位置状態検知部からの情報に基づいて、前記記憶部から前記装置本体の置き位置状態に対応した補正テーブルを取得し、取得した補正テーブルと前記温度センサから取得した温度情報から、前記被測定ポイントの等価温度を測定する制御部とを備えることを特徴とする。
【０００８】
前記置き位置状態検知部は、傾斜センサであることが好ましい。または、前記置き位置検状態知部は、前記装置内の温度を測定する２個の温度センサであることが好ましい。
【発明の効果】
【０００９】
本発明は、機器を任意の向きに設置しても、あるいは機器の設置方向を変更しても、設置状態に最適な補正テーブルを選択して、補正テーブルから各部位（被測定ポイント）の温度を測定するので、温度の測定精度を向上させることができる。
【図面の簡単な説明】
【００１０】
【図１】本発明の第１の実施形態に係る等価温度測定システムの構成を示す図である。
【図２】第１の実施形態に係る等価温度測定システムが適用される無線機器の機器構造例と機器縦置き設置時の温度対流状態を示す図である。
【図３】機器逆さ置き設置時の温度対流状態を示す図である。
【図４】機器縦置き設置時の温度センサと、第１回路と、第２回路の測定温度をグラフにした図である。
【図５】機器逆さ置き設置時の温度センサと、第１回路と、第２回路の測定温度をグラフにした図である。
【図６】本発明の第１の実施形態に係る等価温度測定システムが適用される機器の動作を説明するフローチャートである。
【図７】本発明の第２の実施形態に係る等価温度測定システムの構成を示す図である。
【図８】第２の実施形態に係る等価温度測定システムが適用される無線機器の機器構造例と機器縦置き設置時の温度対流状態を示す図である。
【図９】機器平置き設置時の温度対流状態を示す図である。
【図１０】機器縦置き設置時の第１温度センサと、第２温度センサと、第１回路と、第２回路の測定温度をグラフにした図である。
【図１１】機器平置き設置時の第１温度センサと、第２温度センサと、第１回路と、第２回路の測定温度をグラフにした図である。
【図１２】本発明の第２の実施形態に係る等価温度測定システムが適用される機器の動作を説明するフローチャートである。
【発明を実施するための形態】
【００１１】
本発明の実施の形態を、密閉された構造の無線機器（または単に機器という）を例に以下に説明する。本発明の等価温度測定システムは、密閉または密閉に近い構造の電子機器全般（無線機器、テレビ、ステレオ、パソコンなど）に適用が可能である。
【００１２】
図１は、本発明の第１の実施形態に係る等価温度測定システムの構成を示す図である。第１の実施形態に係る等価温度測定システム（無線機器）は、温度センサ３と、傾斜センサ４（置き位置状態検知部）と、記憶部１０と、制御部１１とを備えている。温度センサ３は、無線機器内部の所定位置の温度を測定し、傾斜センサ４は、無線機器の置き位置状態（傾斜）を検知する。傾斜センサ４は、無線機器の置き位置状態を検知する置き位置状態検知部を構成する。記憶部１０は、機器の傾斜毎に、温度センサが検知した温度と各部位（被測定ポイント）との間の温度差を実測定して作成したデータテーブル（補正テーブル）を保持する。制御部１１は、傾斜センサ４から機器の設置角度の情報を取得し、記憶部１０から設置角度に対応したデータテーブルを選択し、選択されたデータテーブルの情報と温度センサ３から取得した温度情報から、各部位（被測定ポイント）の等価温度を測定する。なお、等価温度は、無線機器内の各部位で予想される温度である。
【００１３】
図２は、第１の実施形態に係る等価温度測定システムが適用される無線機器の機器構造例と機器縦置き設置時の温度対流状態を示す図である。図２（ａ）は正面図を示し、図２（ｂ）は側面図を示す。機器筺体１の中には温度補正が必要な回路基板２が装備されている。回路基板２には、温度センサ３と傾斜センサ４が実装されており、また、回路基板２の中には、等価温度測定の対象となる（温度補償の対象となる）第１回路５および第２回路６と、特に発熱量の多い回路として発熱部７がある。なお、温度センサ３と傾斜センサ４は、基板上の任意の位置に実装して良い。第１回路５と第２回路６は、説明を容易にするために発熱部７の上に第１回路５が配置され、発熱部７の下に第２回路６が配置させる例としている。傾斜センサ４は、現在の無線機器の置き位置状態が縦置きであることを検知することができる。
【００１４】
図３は、機器逆さ置き設置時の温度対流状態を示す図である。図３（ａ）は正面図を示し、図３（ｂ）は側面図を示す。説明を容易にするため逆さ設置状態の例で説明する。構造は図１と全く同じである。この場合は、発熱部７の上に第２回路６が配置され、発熱部７の下に第１回路５が配置されることとなる。傾斜センサ４は、現在の無線機器の置き位置状態が逆さ置きであることを検知することができる。
【００１５】
筐体１の内部に、空気を強制的に循環させるファンなどが無い場合は、筐体内で発生した熱は、空気の熱対流を起こし、設置状態の筐体内部の上部部位に高温の熱が流れてゆく。これによって、設置状態の筐体内部の上部部位は、他の部位に比べ高温になりやすい。よって、縦置き時には第１回路５は第２回路６よりも高温になりやすく、逆さ置き時には第２回路６は第１回路５よりも高温になりやすい。図２および図３の例では、発熱量の多い回路としての発熱部７があるが、これが無いとしても筐体内部で発生する熱は、対流によって筐体内部の上部に集中することになる。
【００１６】
図４は、機器縦置き設置時の温度センサと、第１回路と、第２回路の測定温度をグラフにした図である。第１回路５の温度は温度センサ３よりも５℃高く、第２回路６の温度は温度センサ３よりも５℃低いとする。無線機器は、この結果を元に、実際の動作環境では温度センサ３の測定温度を監視することで、等価的に第１回路５および第２回路６の温度を知ることができる。すなわち、無線機器は、このような縦置き時の温度センサの測定温度と、第１回路および第２回路の温度の関係をデータテーブルに格納しておき、データテーブルを参照することで、１つの温度センサの測定温度から、他の部位である第１回路および第２回路の温度を等価的に知ることができる。
【００１７】
これに対し、設置方向が逆さ置きの場合は、温度センサの温度と、第１回路および第２回路の温度の関係は上記と異なる。図５は、機器逆さ置き設置時の温度センサと、第１回路と、第２回路の測定温度をグラフにした図である。第１回路５の温度は温度センサ３よりも５℃低く、第２回路６の温度は温度センサ３よりも５℃高いとする。無線機器は、このような逆さ置き時の温度センサの測定温度と、第１回路および第２回路の温度の関係もデータテーブルに格納しておく。本発明の第１の実施形態に係る無線機器は、回路基板２に傾斜センサ４を搭載しているので、現状の設置状態を機器が把握することができる。これにより、設置方向に合わせた適切な温度データテーブルを参照することで、１つの温度センサの測定温度から、他の部位である第１回路および第２回路の温度を等価的に知ることができる。
【００１８】
また、上述した実施の形態では、縦置きと、逆さ置きを例に説明したが、傾斜センサは、３次元方向の傾斜を知ることができるので、設置角度を細分化した（例えば４５°の８ステップ）データテーブルを用意することによって更に精密な補正が可能である。
また、傾斜センサが測定した角度が４５°ステップの中間である場合、例えば２２°などの場合は、データテーブル上の０°の等価測定温度と、４５°の等価測定温度を直線補間的に求めることで更に精度を上げることができる。
【００１９】
図６は、本発明の第１の実施形態に係る等価温度測定システムが適用される機器の動作を説明するフローチャートである。なお、温度情報は、機器製造の初期の段階で、予め収集されているものとする。すなわち、傾斜毎に、温度センサが検知した温度と各部位（回路）の温度の関係を実測定して、データテーブルを作成し、作成されたデータテーブルが機器の記憶部に予め記録されているものとする。データテーブルは、複数台の機器で得たデータを平均化して作成してもよい。また、同じ機器であれば、同一のデータテーブルを各機器に記録させてもよい。
【００２０】
まず、傾斜センサにより、機器の現在の設置角度を求める（ステップＳ１０１）。これによって、現在の設置角度に対応したデータテーブルを選択する（ステップＳ１０２）。次に、温度センサより温度情報を収集する（ステップＳ１０３）。角度情報から選択されたデータテーブルの情報と、温度センサの温度情報から、各部位の等価温度を測定する（ステップＳ１０４）。各部位の等価温度情報を元に、各部位の温度補償を行う（ステップＳ１０５）。そして、ステップＳ１０１に戻る。このようにして、傾斜センサによる設置角度情報と、温度センサの温度情報は、周期的に監視され、最新情報に更新される。
【００２１】
上述のように、本発明の第１の実施形態に係る無線機器は、傾斜センサを搭載し、機器の設置角度を把握することで設置角度に最適なデータテーブルを選択し、データテーブルから各部位（被測定ポイント）の温度を測定するので、温度の測定精度を向上させることができ、より精密な温度補償を可能にする。
また、本発明の第１の実施形態に係る無線機器は、各部位毎に温度センサを備えることなく、１個の温度センサで各部位の温度を等価測定することができるので、回路コストを増加させることなく、また、回路実装面積を増やすことなく、等価温度測定の精度を改善することができる。
【００２２】
図７は、本発明の第２の実施形態に係る等価温度測定システムの構成を示す図である。第２の実施形態に係る等価温度測定システムは、第１温度センサ８と、第２温度センサ９と、記憶部１０と、制御部１１とを備えている。第１温度センサ８は、無線機器内部の所定位置の温度を測定し、第２温度センサ９は、第１温度センサ８とは離れた位置の温度を測定する。第１温度センサ８と第２温度センサ９は、無線機器の置き位置状態を検知する置き位置状態検知部を構成する。記憶部１０は、機器の設置方向毎に、温度センサと各回路（被測定ポイント）との間の温度差を実測定して作成したデータテーブル（補正テーブル）を保持する。制御部１１は、第１温度センサ８と第２温度センサ９とから温度情報を取得し、温度差から機器の設置方向を取得し、記憶部１０から設置方向に対応したデータテーブルを選択し、選択されたデータテーブルの情報と第１温度センサ８から取得した温度情報から、各回路（被測定ポイント）の等価温度を測定する。
【００２３】
図８は、第２の実施形態に係る等価温度測定システムが適用される無線機器の機器構造例と機器縦置き設置時の温度対流状態を示す図である。図８（ａ）は正面図を示し、図８（ｂ）は側面図を示す。機器筺体１の中には温度補正が必要な回路基板２が装備されている。回路基板２には、第１温度センサ８と第２温度センサ９が実装されており、また、回路基板２の中には、等価温度測定を行いたい（温度補償を行いたい）第１回路５および第２回路６と、特に発熱量の多い回路として発熱部７がある。第１温度センサ８は、回路基板上の複数の被測定ポイントの温度を１つの温度センサで等価的に測定するために使用する。第２温度センサ９は、第１温度センサ８との温度差を監視するために使用する。第１温度センサ８と第２温度センサ９は、距離を離して実装する。機器の設置方向によって２つのセンサの温度差が大きく変化するように実装することが望ましい。また、第１回路５と第２回路６は、説明を容易にするために発熱部７の上に第１回路５が配置され、発熱部７の下に第２回路６が配置させる例としている。
【００２４】
図９は、機器平置き設置時の温度対流状態を示す図である。図９（ａ）は正面図を示し、図９（ｂ）は側面図を示す。構造は図８と全く同じであり、設置方向のみを変えている。
【００２５】
図８の例のように、機器縦置き設置時には、第１温度センサ８より第２温度センサ９が上部に位置するため、第２温度センサ９が高温となり、図９の例のように、機器平置き設置時には、基板全体をまんべんなく温めることになるため、第１温度センサ８と第２温度センサ９との温度差がほぼ無い状態となる。
【００２６】
筐体１の内部に、空気を強制的に循環させるファンなどが無い場合は、筐体内で発生した熱は、空気の熱対流を起こし、筐体内部の上部部位に高温の熱が流れてゆく。これによって、筐体内部の上部部位は、他の部位に比べ高温になりやすい。よって、縦置き時には第１回路５は第２回路６よりも高温になりやすい。図８の例では、発熱量の多い回路としての発熱部７があるが、これが無いとしても筐体内部で発生する熱は、対流によって筐体内部の上部に集中することになる。これにより、縦置き時には第１温度センサ８より第２温度センサ９が高温となる。この状況は、平置き時の第１温度センサ８と第２温度センサ９との温度差より明らかに温度差が発生する。したがって、第１温度センサ８よりも第２温度センサ９の測定温度が、予め指定した温度差（設定値）より大きい場合は、現在の無線機器の設置状態が縦置きであると認識することができる。第１温度センサ８と第２温度センサ９の測定温度差が、予め指定した温度差（設定値）以下の場合は、現在の無線機器の設置状態が平置きであると認識することができる。
【００２７】
図１０は、機器縦置き設置時の第１温度センサと、第２温度センサと、第１回路と、第２回路の測定温度をグラフにした図である。第２温度センサ９の温度は、第１温度センサ８よりも１５℃高く、また、第１回路５の温度は、第１温度センサ８よりも２０℃高く、第２回路６の温度は、第１温度センサ８よりも２℃高いとする。無線機器は、このような縦置き時の第１温度センサ８および第２温度センサ９の測定温度と、第１回路５および第２回路６の温度の関係をデータテーブルに格納しておき、データテーブルを参照することで、１つの温度センサの測定温度から、他の部位である第１回路５および第２回路６の温度を等価的に知ることができる。
【００２８】
この時、機器設置方向を識別するための第１温度センサ８と第２温度センサ９の温度差を、５℃以上で縦置きと判定するように設定したならば、第１温度センサ８の温度よりも、第２温度センサ９の温度が５℃以上高いので、縦置きであると判断することができる。無線機器は、この結果を元に、実際の動作環境では自動的に縦置き時のデータテーブルを参照し、第１温度センサ８の測定温度を監視することで、等価的に第１回路５および第２回路６の温度を測定することができる。
【００２９】
これに対し、設置方向が平置きの場合は、第１温度センサおよび第２温度センサの温度と、第１回路および第２回路の温度の関係は上記と異なる。図１１は、機器平置き設置時の第１温度センサと、第２温度センサと、第１回路と、第２回路の測定温度をグラフにした図である。第２温度センサ９の温度は、第１温度センサ８よりも１℃高く、また、第１回路５の温度は、第１温度センサ８よりも１０℃高く、第２回路６の温度は、第１温度センサ８よりも９℃高いとする。無線機器は、このような平置き時の第１温度センサ８および第２温度センサ９の測定温度と、第１回路５および第２回路６の温度の関係をデータテーブルに格納しておき、データテーブルを参照することで、１つの温度センサの測定温度から、他の部位である第１回路５および第２回路６の温度を等価的に知ることができる。
【００３０】
この時、機器設置方向を識別するための第１温度センサ８と第２温度センサ９の温度差を、５℃以上で縦置きと判定するように設定したならば、第１温度センサ８の温度よりも、第２温度センサ９の温度が５℃以上高くはないので、縦置きであると判断することができる。無線機器は、この結果を元に、実際の動作環境では自動的に縦置き時のデータテーブルを参照し、第１温度センサ８の測定温度を監視することで、等価的に第１回路５および第２回路６の温度を測定することができる。
【００３１】
図１２は、本発明の第２の実施形態に係る等価温度測定システムが適用される機器の動作を説明するフローチャートである。なお、温度情報は、機器製造の初期の段階で、予め収集されているものとする。すなわち、縦置き、および平置き毎に、各温度センサと各部位（回路）の温度の関係を実測定して、データテーブルを作成し、作成されたデータテーブルが機器の記憶部に予め記録されているものとする。データテーブルは、複数台の機器で得たデータを平均化して作成してもよい。また、同じ機器であれば、同一のデータテーブルを各機器に記録させてもよい。
【００３２】
まず、第１温度センサ８と第２温度センサ９の温度差を求める（ステップＳ２０１）。次に、求めた温度差が予め指定した値（設定値）よりも大きいか否かを判定する（ステップＳ２０２）。温度差が設定値よりも大きい場合（ステップＳ２０２でＹｅｓの場合）は、縦置き設置時の温度データテーブルを選択する（ステップＳ２０３）。次に、第１温度センサ８より温度情報を収集する（ステップＳ２０４）。縦置き温度データテーブルの情報と、第１温度センサ８の温度情報から、各部位の等価温度を求める（ステップＳ２０５）。各部位の等価温度情報を元に、各部位の温度補償を行う（ステップＳ２０６）。そして、ステップＳ２０１に戻る。
【００３３】
Ｓ２０２にて温度差が設定値以下の場合（Ｎｏの場合）は、平置き設置時の温度データテーブルを選択する（ステップＳ２０７）。次に、第１温度センサ８より温度情報を収集する（ステップＳ２０８）。平置き温度データテーブルの情報と、第１温度センサ８の温度情報から、各部位の等価温度を求める（ステップＳ２０９）。各部位の等価温度情報を元に、各部位の温度補償を行う（ステップＳ２１０）。そして、ステップＳ２０１に戻る。このようにして、第１温度センサ８と第２温度センサ９から求めた設置向き情報と、第１温度センサ８の温度情報は、周期的に監視され、最新情報に更新される。
【００３４】
上述のように、本発明の第２の実施形態に係る無線機器は、２個の温度センサを搭載し、２個の温度センサで機器の設置方向を把握することで設置方向に最適なデータテーブルを選択し、データテーブルから各部位（被測定ポイント）の温度を測定するので、温度の測定精度を向上させることができ、より精密な温度補償を可能にする。
【符号の説明】
【００３５】
１  筐体
２  回路基板
３  温度センサ
４  傾斜センサ
５  第１回路
６  第２回路
７  発熱部
８  第１温度センサ
９  第２温度センサ
１０  記憶部
１１  制御部
【図１】
2012233835.tif 000003
【図２】
2012233835.tif 000004
【図３】
2012233835.tif 000005
【図４】
2012233835.tif 000006
【図５】
2012233835.tif 000007
【図６】
2012233835.tif 000008
【図７】
2012233835.tif 000009
【図８】
2012233835.tif 000010
【図９】
2012233835.tif 000011
【図１０】
2012233835.tif 000012
【図１１】
2012233835.tif 000013
【図１２】
2012233835.tif 000014